(57)【特許請求の範囲】
【請求項１】
室内壁面に木炭粉末を含有した塗料を塗布、または木炭粉末を含有した塗料を塗布した成形体を用い、地中に埋設した接地電極を前記壁面または成形体に接続して室内をマイナスイオンが豊富な環境に改善する方法であって、
前記室内を密閉状態にし、
該室内の気圧を気圧調整装置のファンによる送気量で１．０５〜１．１気圧の範囲の高圧な環境にすると共に、該高圧な環境にするために送気される空気は空気清浄装置によって常に清浄な状態に維持され、
該送気された清浄な空気を高圧な環境の室内においてマイナスイオン化すること
を特徴とする室内環境改善方法。
【請求項２】
前記木炭粉末を含有した塗料は、
ナイロン６と、ナイロン６６と、ナイロン１２と、ナイロン６１０とからなる高融点型ナイロン樹脂、ナイロン６と、ナイロン６６と、ナイロン１２とからなる低融点型ナイロン樹脂またはナイロン６と、ナイロン６６と、ナイロン１２とからなる高融点型ナイロン樹脂と、これらのナイロン樹脂の溶剤と、木炭粉末とを含有した塗料組成物であること
を特徴とする請求項１に記載の室内環境改善方法。
【請求項３】
前記接地電極は、
有底筒体に形成された金属製の本体の内部に木炭と触媒とが収納された電極であることを特徴とする請求項１に記載の室内環境改善方法。
【発明の詳細な説明】
【技術分野】
【０００１】
本発明は、室内壁面に木炭粉末を含有した塗料を塗布、または木炭粉末を含有した塗料を塗布した成形体を用いることで、壁面をマイナスに帯電させて周囲のプラスイオンを吸着させて、室内の環境をプラスイオンが少なくてマイナスイオンが豊富な環境に改善する方法に関するものである。
【背景技術】
【０００２】
従来、この種の技術としては、例えば、木炭粉末を含有した塗料を室内の壁面に塗布して室内の環境を改善する方法であって、前記室内の床面を絶縁体で形成し、前記壁面を地中に埋設した接地電極に接続して接地電位にすることを特徴とする室内環境改善方法がある（特許文献１参照）。
【０００３】
この特許文献１の公知技術においては、壁面に接地電極を接続することによって、壁面を接地電位にし、壁面に塗布された木炭の効力を維持し、室内の環境をマイナスイオンが豊富な環境にするというものである。
【０００４】
【特許文献１】特開２００４−２４４８３７号公報
【発明の開示】
【発明が解決しようとする課題】
【０００５】
前記特許文献１の公知技術においては、壁面に塗布された木炭の効力を維持して室内の環境を改善できるものであり、この室内環境改善効果だけであっても該室内に居住する人にとって十分な効果を享受できるものであるが、単に壁面に接地電極を接続させただけでは、より高い効果を期待することは困難である。
【０００６】
従って、本発明においては、木炭の効力により室内の環境をマイナスイオンが豊富な環境にしつつ、室内の状態を変化させることによってより高い効果を得られるようにするということに解決しなければならない課題を有している。
【課題を解決するための手段】
【０００７】
上記した従来例の課題を解決する具体的手段として本発明に係る室内環境改善方法は、室内壁面に木炭粉末を含有した塗料を塗布、または木炭粉末を含有した塗料を塗布した成形体を用い、地中に埋設した接地電極を前記壁面または成形体に接続して室内をマイナスイオンが豊富な環境に改善する方法であって、前記室内を密閉状態にし、該室内の気圧を気圧調整装置のファンによる送気量で１．０５〜１．１気圧の範囲の高圧な環境にすると共に、該高圧な環境にするために送気される空気は空気清浄装置によって常に清浄な状態に維持され、該送気された清浄な空気を高圧な環境の室内においてマイナスイオン化することを最も主要な特徴とする。
【０００８】
この発明において、前記高圧の環境は、室内の気圧が略１．０５〜１．１気圧の範囲であること；前記木炭粉末を含有した塗料は、ナイロン（登録商標）６と、ナイロン（登録商標）６６と、ナイロン（登録商標）１２と、ナイロン（登録商標）６１０とからなる高融点型ナイロン（登録商標）樹脂、ナイロン（登録商標）６と、ナイロン（登録商標）６６と、ナイロン（登録商標）１２とからなる低融点型ナイロン（登録商標）樹脂またはナイロン（登録商標）６と、ナイロン（登録商標）６６と、ナイロン（登録商標）１２とからなる高融点型ナイロン（登録商標）樹脂と、これらのナイロン（登録商標）樹脂の溶剤と、木炭粉末とを含有した塗料組成物であること；前記接地電極は、有底筒体に形成された金属製の本体の内部に木炭と触媒とが収納された電極であること；を付加的な要件として含むものである。
【発明の効果】
【０００９】
本発明に係る室内環境改善方法は、室内壁面に木炭粉末を含有した塗料を塗布、または木炭粉末を含有した塗料を塗布した成形体を用い、地中に埋設した接地電極を前記壁面または成形体に接続して室内をマイナスイオンが豊富な環境に改善する方法であって、前記室内を密閉状態にし、該室内の気圧を気圧調整装置のファンによる送気量で１．０５〜１．１気圧の範囲の高圧な環境にすると共に、該高圧な環境にするために送気される空気は空気清浄装置によって常に清浄な状態に維持され、該送気された清浄な空気を高圧な環境の室内においてマイナスイオン化することにより、清浄な空気を室内で木炭粉末を含有した塗料により室内環境をマイナスイオンが豊富な環境にしつつ、室内の気圧を１．０５〜１．１気圧の範囲の高圧に変化させると共に、該高圧な環境にするために送気される空気は空気清浄装置によって常に清浄な状態に維持されることによって、清浄な空気と豊富なマイナスイオン環境の室内で長時間過すだけで、入室者の乳酸値を低下させることができるという優れた効果を奏する。
【発明を実施するための最良の形態】
【００１０】
次に、本発明を具体的な実施の形態に基づいて詳しく説明する。
本発明の実施の形態に係る室内環境改善方法を図１を用いて説明する。調整室１は、図示していない扉を閉めた状態でその室内全体が密閉された空間になるように形成されている。
【００１１】
調整室１には、室内の気圧を調整できる気圧調整装置２が設けられている。この気圧調整装置２は、例えば、ファン等によって空気を送風する構成になっており、該送風した空気の量によって調整室１内の気圧を調整できるようになっている。また、気圧調整装置２には、配管３を介してフィルター等からなる空気清浄装置４が接続されており、空気清浄装置４から気圧調整装置２に送気される空気は常に清浄な状態が維持されるようになっている。
【００１２】
気圧調整装置２は、調整室１に設けられた通気口５を介して室内と接続されており、気圧調整装置２から調整室１の内部に送気される空気量によって調整室１内の気圧を調整できるようになっている。本発明においては、調整室１内の気圧が略１．０５〜１．１気圧の範囲の高圧の環境になるように調整している。
【００１３】
調整室１の室内壁面１ａには、木炭粉末を含有した塗料を塗布してある。この木炭粉末を含有した塗料を塗布した壁面１ａは、少なくとも１つの壁面１ａがあれば良く、天井面や床面等に塗布しても良い。また、木炭粉末を含有した塗料を室内壁面１ａに塗布することに替え、木炭粉末を含有した塗料を塗布した成形体を用いても良い。
【００１４】
この木炭粉末を含有した塗料としては、例えば、ナイロン（登録商標）６と、ナイロン（登録商標）６６と、ナイロン（登録商標）１２と、ナイロン（登録商標）６１０とからなる高融点型ナイロン（登録商標）樹脂、ナイロン（登録商標）６と、ナイロン（登録商標）６６と、ナイロン（登録商標）１２とからなる低融点型ナイロン（登録商標）樹脂またはナイロン（登録商標）６と、ナイロン（登録商標）６６と、ナイロン（登録商標）１２とからなる高融点型ナイロン（登録商標）樹脂と、これらのナイロン（登録商標）樹脂の溶剤と、木炭粉末とを含有した塗料組成物である、ヘルスコート（登録商標：ア−テック工房（株）社製）等を使用することが好ましい。
【００１５】
この木炭粉末としては、白炭または黒炭等の木炭を粉末状にしたものを使用できるが、白炭または黒炭のいずれか一種、またはこれらを適宜混合して使用することができる。
【００１６】
壁面１ａには、電線等の導体６が接続されている。該導体６を前記壁面１ａに接続させる場合には、例えば、図示していない合板や銅板等を介して接続させても良い。この導体６は、他端が地中に埋設された接地電極７に接続されている。
【００１７】
このように、壁面１ａに木炭粉末を含有した塗料を塗布、または木炭粉末を含有した塗料を塗布した成形体を用いることで、壁面１ａをマイナスに帯電させて周囲のプラスイオンを吸着させて、室内の環境をプラスイオンが少なくてマイナスイオンが豊富な環境に改善し、更に、地中に埋設した接地電極７を前記壁面１ａまたは成形体に接続することによって、塗料に含まれる木炭粉末の電気的なバランスが調整されて木炭の効力が長期間維持されるようになり、この木炭の効力により調整室１内をマイナスイオンが豊富な環境に維持することができるようになる。
【００１８】
前記接地電極７としては、例えば、金属製の棒等であっても良いが、特開２００４−２４４８３７号公報に開示された有底筒体に形成された金属製の本体の内部に木炭と触媒とが収納された電極を用いることが好ましい。
【００１９】
［実施例１］
この実施例１においては、調整室１の壁面１ａの全体に木炭粉末を含有した塗料を塗布し、該壁面１ａと地中に埋設した接地電極７を接続し、調整室１内の気圧を１．０５気圧と、１．１気圧とに変化させた環境を用いた。
【００２０】
［比較例１〜３］
この比較例１においては、調整室１の壁面１ａの全体に木炭粉末を含有した塗料を塗布しただけの環境（調整室１内の気圧は１気圧）を用い、比較例２においては、調整室１の壁面１ａの全体に木炭粉末を含有した塗料を塗布し、該壁面１ａと地中に埋設した接地電極７を接続した環境（調整室１内の気圧は１気圧）を用い、比較例３においては、調整室１の壁面１ａの全体に木炭粉末を含有した塗料を塗布し、調整室１内の気圧を１．０５気圧〜１．３気圧まで変化させた環境を用いた。
【００２１】
［試験例１］
この試験例１においては、調整室１として６帖洋室の環境を用い、木炭粉末を含有した塗料として前記ヘルスコート（登録商標：ア−テック工房（株）社製）を用い、接地電極７として特開２００４−２４４８３７号公報に開示された接地電極装置を用いた。また、試験例１においては、前記前記実施例１と、前記比較例１〜３とを試験の対象とした。
【００２２】
この調整室１内に被験者それぞれ１０名入室し、その入室時間を３時間とした。その入室前後の乳酸値と血糖値とをそれぞれ測定し、その変化の平均値を調査した。この試験例１における前記実施例１と、前記比較例１〜３との結果を表１に示す。
【００２３】
【表１】
0005479665.tif 000002
【００２４】
この表１より理解できるように、本発明に係る実施例１は、木炭の効力により室内の環境をマイナスイオンが豊富な環境にしつつ、室内の気圧の高圧に変化させたことで、比較例１〜３と比較して、試験の前後（入室の前後）において特に被験者の乳酸値を低下させることができることが理解できる。
【図面の簡単な説明】
【００２５】
【図１】本発明の実施の形態に係る室内環境改善方法を提供するための調整室を略示的に示した断面図である。
【符号の説明】
【００２６】
１  調整室
１ａ  調整室の室内壁面
２  気圧調整装置
３  配管
４  空気清浄装置
５  通気口
６  導体
７  接地電極
【図１】
0005479665.tif 000003